(57)【要約】【課題】木材チップ層と厚紙や不織布等の通水性のある紙層とを組み合わせて積層し、さらにこれらを転圧することによって雑草の発芽防止効果に優れていて、しかも非常に経済的に敷設することができる雑草の発芽防止工法を提供するものである。【解決手段】整地面の上に木材チップを約５ｃｍ以上敷設して木材チップ層を形成し、当該木材チップ層の上に通水性のある厚紙や不織布を敷設して紙層を形成し、当該紙層の上に木材チップを約５ｃｍ以上敷設して木材チップ層を形成し、当該木材チップ層の上に接着剤を吹付け、あるいは塗布してバインダ層を形成し、これらのサンドイッチ部分を転圧してほぼ半分の厚さとしたことを特徴とする雑草の発芽防止工法。【選択図】 図５
2012130315.tif 000002
【特許請求の範囲】
【請求項１】
整地面の上に木材チップを約５ｃｍ以上敷設して木材チップ層を形成し、当該木材チップ層の上に通水性のある厚紙や不織布を敷設して紙層を形成し、当該紙層の上に木材チップを約５ｃｍ以上敷設して木材チップ層を形成し、当該木材チップ層の上に接着剤を吹付け、あるいは塗布してバインダ層を形成し、これらのサンドイッチ部分を転圧してほぼ半分の厚さとしたことを特徴とする雑草の発芽防止工法。
【請求項２】
整地面の上に通水性のある厚紙や不織布を敷設して紙層を形成し、当該紙層の上に木材チップを約５ｃｍ以上敷設して木材チップ層を形成し、当該木材チップ層の上に接着剤を吹付け、あるいは塗布してバインダ層を形成し、これらの積層部分を転圧してほぼ半分の厚さとしたことを特徴とする雑草の発芽防止工法。
【請求項３】
整地面の上に通水性のある厚紙や不織布を敷設して紙層を形成し、当該紙層の上に木材チップを約５ｃｍ以上敷設して木材チップ層を形成し、当該木材チップ層の上に木材チップ層の隙間を埋めない程度の径の砂を１〜５ｃｍ敷設して砂層を形成し、当該砂層の上に接着剤を吹付け、あるいは塗布してバインダ層を形成し、これらの積層部分を転圧してほぼ半分の厚さとしたことを特徴とする雑草の発芽防止工法。
【発明の詳細な説明】
【技術分野】
【０００１】
この発明は雑草が生えるのを防ぐ雑草の発芽防止工法に関する。
【背景技術】
【０００２】
従来から、雑草が生えたり、生い茂るのを抑える防草シートは公知である。
また、以下のような先行技術が存在する。
特開２０１０−１１１９９７号公報（特許文献１参照）
特開２００９−１９４３７号公報（特許文献２参照）
特開２００８−７５３９４号公報（特許文献３参照）
特開２００３−３０１４０４号公報（特許文献４参照）
特開２００２−４７６０９号公報（特許文献５参照）
特開２０００−２７０６９２号公報（特許文献６参照）
特開２０００−１０４２０７号公報（特許文献７参照）
特開平１１−７１７３４号公報（特許文献８参照）
特開平９−７４９０５号公報（特許文献９参照）
【０００３】
そして前記特許文献１には、整地面の上に遮水性を有する防草シートと、当該防草シートの上に樹皮及び木材チップ層を有し、当該樹皮及び木材チップ層の上に、さらに防草シートを敷設し、上面の防草シートは固定具にて整地面に固定してあることを特徴とする防草構造が記載されている。
前記特許文献２には、整地面の上に遮水性を有する防草シートと、当該防草シートの上に樹皮及び木材チップ層を有し、当該樹皮及び木材チップ層の上に、砕石と粒石とを単独又は混合して敷設した石材層を有することを特徴とする防草構造が記載されている。
前記特許文献３には、舗装基材用チップに天然ゴムラテックスを主成分とするバインダー剤を混合すると共に、酸性系凝固剤を混入してなることを特徴とする舗装材が記載されている。
前記特許文献４には、容積比において砂材３０〜７０％、ウッドチップ材７０〜３０％を混合し、この混合材にバインダーとしてウレタン樹脂またはエポキシ樹脂５〜２０％配合したことを特徴とする舗装材が記載されている。
前記特許文献５には、容積比において砂材３０〜７０％、ウッドチップ材７０〜３０％を混合し、この混合材にバインダーとしてウレタン樹脂またはエポキシ樹脂５〜２０％配合したことを特徴とする舗装材が記載されている。
前記特許文献６には、繊維質粉末とシリカ溶液と遮光着色剤を水で希釈した雑草繁殖防止コーティング剤が記載されている。
前記特許文献７には、ゴムチップとバインダとが混合されかつ型成形されてなり、道路等の基盤に接着されて弾性舗装を形成する舗装材であって、前記基盤との接触面側に接着剤層を設けたことを特徴とする弾性舗装材が記載されている。
前記特許文献８には、道路予定地、休眠地、ガードレール回り、飛行場等の地表において、乾燥した木材チップ、紙、植物片、発泡スチロール、籾殻とモルタルとを適宜な比率で添加、攪拌し、該攪拌物を前記地表に適宜の厚みに積層することを特徴とする地表における雑草抑止方法が記載されている。
前記特許文献９には、地表面上に防草シートを敷設し、該防草シートの上に砂利、砕石等の被覆材を敷き均した防草構造において、前記防草シートの下方であって前記地表面の近傍に所定の集排水設備を設けたことを特徴とする防草構造が記載されている。
【先行技術文献】
【特許文献】
【０００４】
【特許文献１】特開平９−７４９０５号公報
【発明の開示】
【発明が解決しようとする課題】
【０００５】
木材チップを利用して雑草の発芽防止を図る従来例においては、以下のような課題を有していた。
１）木材チップは通常屋外において保管しているため、発芽の防止において天敵とされる土や砂ぼこり等の不純物が混入してしまうので、目的とする１００％の雑草の発芽防止を達成することができない。
２）花の生育培地、花壇等に用いるには不適切な面があった。
その理由としては花は茎が細く、柔らかく弱いため、風に飛ばされないようにするための転圧ができない。
【０００６】
本発明は、従来例における以上の問題点を解消することをも目的とするものであり、木材チップ層と厚紙や不織布等の通水性のある紙層とを組み合わせて積層し、さらにこれらを転圧することによって雑草の発芽防止効果に優れていて、しかも非常に経済的に敷設することができる雑草の発芽防止工法を提供するものである。
【課題を解決するための手段】
【０００７】
本発明に係る雑草の発芽防止工法は、整地面の上に木材チップを約５ｃｍ以上敷設して木材チップ層を形成し、当該木材チップ層の上に通水性のある厚紙や不織布を敷設して紙層を形成し、当該紙層の上に木材チップを約５ｃｍ以上敷設して木材チップ層を形成し、当該木材チップ層の上に接着剤を吹付け、あるいは塗布してバインダ層を形成し、これらのサンドイッチ部分を転圧してほぼ半分の厚さとしたことを特徴とするものである。
【０００８】
本発明に係る雑草の発芽防止工法は、整地面の上に通水性のある厚紙や不織布を敷設して紙層を形成し、当該紙層の上に木材チップを約５ｃｍ以上敷設して木材チップ層を形成し、当該木材チップ層の上に接着剤を吹付け、あるいは塗布してバインダ層を形成し、これらの積層部分を転圧してほぼ半分の厚さとしたことをも特徴とするものである。
【０００９】
本発明に係る雑草の発芽防止工法は、整地面の上に通水性のある厚紙や不織布を敷設して紙層を形成し、当該紙層の上に木材チップを約５ｃｍ以上敷設して木材チップ層を形成し、当該木材チップ層の上に木材チップ層の隙間を埋めない程度の径の砂を１〜５ｃｍ敷設して砂層を形成し、当該砂層の上に接着剤を吹付け、あるいは塗布してバインダ層を形成し、これらの積層部分を転圧してほぼ半分の厚さとしたことをも特徴とするものである。
【００１０】
雑草の発芽の条件は、土や水、日光が揃うことである。したがって、本発明の雑草の発芽防止工法においては、土と日光とを雑草から分離することによって雑草の発芽・生長を防止する。
すなわち、木材チップを整地面の上に約５ｃｍ以上、特に１０ｃｍほどの厚さに敷き詰め、その上から転圧した後、さらに接着剤を吹付け、あるいは塗布してバインダ層を形成するものである。こうすることによって木材チップが風に吹き飛ばされるのを防ぐとともに、木材チップの上から侵入して発芽しようとする雑草を防止する。
また、前記５ｃｍ以上敷き詰めた木材チップ層の上または下に、通水性のある厚紙や不織布を敷設して紙層を形成することをも特徴としている。
この方法は、日光を遮断する暗幕としての作用を補強するとともに、木材チップ層の厚さを均一にして木材チップ層とバインダ層との結合をよりよくする効果を有している。
さらに前記転圧も、木材チップ層の厚さを均一にして木材チップ層とバインダ層との結合をよりよくする効果を有し、バインダ層とも相まって木材チップが風に吹き飛ばされるのを防止して木材チップ層を長持ちさせる効果がある。
本発明では、木材チップ層の上に２〜３ｃｍ程度の厚さに砂層を敷設し、転圧した後、前記バインダ層を形成することをも特徴としている。こうすることにより、木材チップ層の各木材チップ間に砂が入り込み、より確実に雑草の発芽を防止することができる。
なお、より広い整地面に適用する場合には、１５〜２０ｃｍ程度の大きい厚みに木材チップ層を形成し、硬めになるよう転圧を充分かけるとともに、バインダ層も厚めに形成し、その上に好みや用途に応じて所定の色彩の塗料を塗布すれば、景観やデザイン的にも優れた花の生育培地、花壇等を提供することができる。
【発明の効果】
【００１１】
以上のように本発明における特徴は、整地面の上に、紙層を介在させた上で木材チップを厚み約５ｃｍ以上に敷設し、さらにこれを転圧する点にある。
このような木材チップは敷設しやすく緩衝性が高いので、舗装面を人が通行したり、車が通行する際に生じる衝撃を吸収し、長期にわたって整地面に敷設した、あるいは木材チップ間にサンドイッチ状に介在させた紙層の損傷を防ぐことができる。
もちろん、もとの土壌の状態に戻したいときには、木材チップ層を含めて攪拌すれば、簡単に土壌の状態に戻すことができ、木材チップ層と紙層とは風化して腐葉土となり、自然にもやさしい工法である。また腐敗するまでの約２年間は雑草が生えにくいため、その景観を保持することができる。
【００１２】
雑草の処置の手間がなくなり、花の生育培地や果断の維持管理のコストを大幅に削減することができる。しかも、従来廃棄あるいは焼却していた木材チップを有効に活用することができ、全体として環境保全に優れた効果を発揮することができる。
また、本発明の雑草の発芽防止工法において得た雑草の発芽防止構造は、木材チップを所定の厚さに敷設してあるので保温作用に優れており、例えば植栽されているサツキ、ドウダンツツジ、モミジ、ハナミズキ、白樺等の植栽物の根本等に冬場に敷くわらのような役目を果たすものと考えられる。
【図面の簡単な説明】
【００１３】
【図１】本発明の雑草の発芽防止工法の第１の実施の形態を示し、整地面に木材チップを敷設した状態の断面図である。
【図２】木材チップ層の上に紙層を敷設した状態の断面図である。
【図３】紙層の上にさらに木材チップを敷設した状態の断面図である。
【図４】木材チップ層の上にバインダ層を形成した状態の断面図である。
【図５】サンドイッチ状の木材チップ層を転圧した状態の断面図である。
【図６】本発明の雑草の発芽防止工法の第２の実施の形態を示し、整地面に紙層を敷設した状態の断面図である。
【図７】紙層の上に木材チップを敷設した状態の断面図である。
【図８】木材チップ層の上にバインダ層を形成し、転圧した状態の断面図である。
【図９】本発明の雑草の発芽防止工法の第３の実施の形態を示し、整地面に紙層を敷設した状態の断面図である。
【図１０】紙層の上に木材チップを敷設した状態の断面図である。
【図１１】木材チップ層の上に砂層を形成した状態の断面図である。
【図１２】砂層の上から転圧し、さらにバインダ層を形成した状態の断面図である。
【図１３】本発明の雑草の発芽防止工法を適用した道路や縁石、歩道部分の平面図である。
【発明を実施するための形態】
【００１４】
以下、本発明の雑草の発芽防止工法の実施の形態を、図面に基いて詳細に説明する。
＜本発明の雑草の発芽防止工法の第１形態＞
図１ないし図５は本発明の雑草の発芽防止工法の第１形態を示すものである。
はじめに、必要に応じて地表の草を刈り取り、適宜整地する。
次に図１に示すように、整地面１１に木材チップを敷設して下部木材チップ層１２−１を５ｃｍ以上の厚さに形成する。前記木材チップとしては、建築廃材等を細かく砕いて得た木材チップがコスト面等から望ましいが、間伐材や鋸屑、鉋屑等であってもよい。
【００１５】
次に、図２に示すように、前記木材チップ層１２−１の上に通水性のある厚紙や不織布等を敷設して紙層１３を形成する。このような通水性のある厚紙や不織布を用いることにより、花や植木等の植栽物にも充分に水分が行き渡り、枯死させる危険性を回避することができる。またこれらの通水性のある厚紙や不織布等は、前記木材チップとともに風化して腐葉土となり、自然にやさしい廃棄物となるので望ましい。
【００１６】
図３に示すように、前記紙層１３の上にさらに木材チップを敷設して上部木材チップ層１２−２を形成する。
その後、図４に示すように、前記木材チップ層１２−２の上に接着剤を吹付け、あるいは塗布してバインダ層１４を形成する。このバインダ層１４は木材チップ層１２−２の木材チップが飛散するのを防止する作用がある。
前記接着剤としては、酢酸ビニル系樹脂を水等で３倍以上に希釈したものが望ましく、記木材チップ層１２−２の上に当該希釈液を吹付ければ、所望のバインダ層１４を形成することができる。
【００１７】
図５はサンドイッチ状の木材チップ層を転圧した状態を示すものである。この転圧は、前記バインダ層１４を形成する前であっても、後であってもよい。
このように転圧することにより、木材チップ層１２−１，１２−２が均一の厚さとなる上、高密度となり、前記紙層１３やバインダ層１４が破れたり壊れにくくなって耐久性が大幅に向上する。
【００１８】
＜本発明の雑草の発芽防止工法の第２形態＞
図６ないし図８は本発明の雑草の発芽防止工法の第２形態を示すものである。
はじめに、必要に応じて地表の草を刈り取り、適宜整地する。
次に図６に示すように、整地面２１に通水性のある厚紙や不織布等を敷設して紙層２２を形成する。このような通水性のある厚紙や不織布を用いることにより、花や植木等の植栽物にも充分に水分が行き渡り、枯死させる危険性を回避することができる。
【００１９】
次に、図７に示すように、前記紙層２２の上に木材チップを敷設して木材チップ層２３を形成する。前記木材チップとしては、建築廃材等を細かく砕いて得た木材チップがコスト面等から望ましいが、間伐材や鋸屑、鉋屑等であってもよい。
【００２０】
図８に示すように、前記木材チップ層２３の上に接着剤を吹付け、あるいは塗布してバインダ層２４を形成する。このバインダ層２４は木材チップ層２３の木材チップが飛散するのを防止する作用がある。
図は前記木材チップ層２３を転圧した状態を示すものである。この転圧は、前記バインダ層２４を形成する前であっても、後であってもよい。
このように転圧することにより、木材チップ層２３が均一の厚さとなる上、高密度となり、前記紙層２２やバインダ層２４が破れたり壊れにくくなって耐久性が大幅に向上する。
【００２１】
＜本発明の雑草の発芽防止工法の第３形態＞
図９ないし図１２は本発明の雑草の発芽防止工法の第３形態を示すものである。
はじめに、必要に応じて地表の草を刈り取り、適宜整地する。
次に図９に示すように、整地面３１に通水性のある厚紙や不織布等を敷設して紙層３２を形成する。このような通水性のある厚紙や不織布を用いることにより、花や植木等の植栽物にも充分に水分が行き渡り、枯死させる危険性を回避することができる。
【００２２】
次に、図１０に示すように、前記紙層３２の上に木材チップを敷設して木材チップ層３３を形成する。前記木材チップとしては、建築廃材等を細かく砕いて得た木材チップがコスト面等から望ましいが、間伐材や鋸屑、鉋屑等であってもよい。
【００２３】
その上で、図１１に示すように、前記木材チップ層３３の上に砂層３４を形成する。こうすることにより、木材チップ層３３の各木材チップ間に砂が入り込み、より確実に雑草の発芽を防止することができる。
【００２４】
図１２に示すように、砂層３４の上に接着剤を吹付け、あるいは塗布してバインダ層３５を形成する。このバインダ層３５は砂層３４の砂が飛散するのを防止する作用がある。
図は木材チップ層３３および砂層３４を転圧した状態を示すものである。この転圧は、前記バインダ層３５を形成する前であっても、後であってもよい。
このように転圧することにより、木材チップ層３３および砂層３４が均一の厚さとなる上、高密度となり、紙層３２やバインダ層３５が破れたり壊れにくくなって耐久性が大幅に向上する。
【００２５】
図１３は本発明の雑草の発芽防止工法を適用した道路や縁石、歩道部分を示すものである。
すなわち、道路４１の片側の縁石４２の部分には本発明の雑草の発芽防止工法を適用した植栽構造４３−１がほぼ連続するように敷設されており、ツツジ４４が植栽されている。
また、歩道４５の外側部分にも本発明の雑草の発芽防止工法を適用した植栽構造４３−２が所定の間隔で敷設されており、白樺４６が植栽されている。
このような植栽構造の敷設箇所が道路等に限られるものでないことはいうまでもない。
【産業上の利用可能性】
【００２６】
本発明の雑草の発芽防止工法は次のような箇所に利用することができる。
１）道路周りの植込み、道路に隣接している歩道周りの植込みその他、各施設周り、各店舗回り、各家の周り等に植栽されているサツキ、ドウダンツツジ、モミジ、ハナミズキ、白樺等の植栽物を保護しながら、周辺の雑草の発芽を防止する。
２）高速道路や各道路、各線路（電車）等の路肩や法面周辺の雑草の発芽を防止する。そのことによって、タバコの投げ捨て等による枯草の家財を防止することができる。
３）雑草の発芽を防止できるので、町並みの美化を図ることができる。
４）従来廃棄され、あるいは有効な活用方法の得られていなかった木材チップを再利用することができる。
５）高齢者を雇用して本発明の雑草の発芽防止工法を実行させることができ、シルバー人材を有効に活用することができる。
６）キャベツ畑やその他の野菜、あるいは果樹等の培地としても有効に活用することができる。
【符号の説明】
【００２７】
１１  整地面
１２−１  下部木材チップ層
１２−２  上部木材チップ層
１３  紙層
１４  バインダ層
２１  整地面
２２  紙層
２３  木材チップ層
２４  バインダ層
３１  整地面
３２  紙層
３３  木材チップ層
３４  砂層
３５  バインダ層
４１  道路
４２  縁石
４３−１，４３−２  植栽構造
４４  ツツジ
４５  歩道
４６  白樺
【図１】
2012130315.tif 000003
【図２】
2012130315.tif 000004
【図３】
2012130315.tif 000005
【図４】
2012130315.tif 000006
【図５】
2012130315.tif 000007
【図６】
2012130315.tif 000008
【図７】
2012130315.tif 000009
【図８】
2012130315.tif 000010
【図９】
2012130315.tif 000011
【図１０】
2012130315.tif 000012
【図１１】
2012130315.tif 000013
【図１２】
2012130315.tif 000014
【図１３】
2012130315.tif 000015